(57)【要約】【課題】ペン芯を低い明度色とすることにより、ペン先の汚れや紙面等に筆記等されたインクからの色写りが目立たず外観を損なうことがなく、また、紙面等の筆記面との明度差（コントラスト）を高めることができるペン先、更に、筆記方向を視認できる可視部を有するペン先にあっては、ひき始めの位置を合わせやすくなるペン先、並びに、これらのペン先を備えた筆記具を提供する。【解決手段】ペン芯２０とを備えたペン先であって、ペン芯２０は少なくとも筆記面との先端部が着色され、Ｌ＊ａ＊ｂ＊（ＣＩＥ  ＬＡＢ）表色系での明度（Ｌ＊値）が４０以下であることを特徴とするペン先Ａ。この筆記具として、例えば、筆記方向を視認することができる可視部を有する保持体１０と、該保持体１０に装着された上記構成のペン先Ａを備えたことを特徴とする。【選択図】図１
2019135093.tif 000002
【特許請求の範囲】
【請求項１】
ペン芯を備えたペン先であって、ペン芯は少なくとも筆記面との先端部が着色され、Ｌ＊ａ＊ｂ＊（ＣＩＥ  ＬＡＢ）表色系での明度（Ｌ＊値）が４０以下であることを特徴とするペン先。
【請求項２】
少なくともペン芯は筆跡の色より低い明度（Ｌ＊値）の色で着色されていることを特徴とする請求項１記載のペン先。
【請求項３】
ペン芯は、焼結芯で構成され、スチレンアクリル樹脂を含有するインクにより着色されていることを特徴とする請求項１又は２に記載のペン先。
【請求項４】
筆記方向を視認することができる可視部を有する保持体と、該保持体に装着された請求項１〜３何れか一つに記載のペン先を備えたことを特徴とする筆記具。
【発明の詳細な説明】
【技術分野】
【０００１】
本発明は、ペン先の汚れや紙面等に筆記等されたインクからの色写りが目立たず外観を損なうことがなく、また、紙面等の筆記面との明度差（コントラスト）を高めることができるペン先、更に、筆記方向を視認できる可視部を有するペン先にあっては、ひき始めの位置を合わせやすくなるペン先、並びに、これらのペン先を備えた筆記具に関する。
【背景技術】
【０００２】
従来、ペイントマーカー、アンダーラインマーカー等と称される筆記具のペン先は、幅広のペン芯を備えることにより幅広の線引きを可能にしたものであって、マーキングの視認性や作業性に優れているため幅広く使用されている。
ラインマーカー等の筆記具におけるペン先は、一般に合成樹脂繊維等を棒状等に集束したものや、高分子の焼結体などの多孔質部材に毛細管作用を付与し、これにより筆記具本体となる軸体から供給されるインクをペン先に導出することにより筆記可能としたものである。
【０００３】
また、蛍光インクを筆記具本体となる軸体内に収容した筆記具の普及にともない、幅広の線引きを可能とした多くの構造、形状のペン先を用いた筆記具が市販されたことにより、使用者の用途に応じた筆記具の広い選択が可能となり、その作業性も快適なものとなっている。
【０００４】
本出願人は、筆記具本体となる軸体から供給されるインクを誘導し、かつ保留できる筆記芯を有する筆記具において、ペン先に、筆記方向を視認できる可視部（窓部）を備えた筆記具を開示している（例えば、特許文献１参照）。
このタイプの筆記具は、ペン先の可視部（窓部）から筆記した文字が見えるから、チェックしたいところだけ、ピタッとはみ出さずにラインが引けるものである。
【０００５】
しかしながら、一般的な蛍光ペンのインクは明度が高く、そのペン先も略インク色同様に明るい色であるため、紙面等との明度差（コントラスト）が低く、筆記時（筆記直前）にペン先の位置を視認することが困難な場合があった。そのため、ひき始めが狙いの箇所からズレてしまうなどの課題があった。
【０００６】
一方、ペン先をインク色と異なる色彩等とする先行技術としては、例えば、
（１）毛筆における筆毫部の止めや撥ね、払い等の微妙な筆使いを習得するために、筆毫部が左右異なった色彩を呈してなることを特徴とする運筆学習筆（例えば、特許文献２参照）、
（２）筆記具を構成するペン先と、このペン先から排出されるインクの色を異ならせることによって、意外性に富み、新鮮な感じを与え、遊び心を満足させる遊戯性の高い筆記具として、インクリザーバを内装した筒状の筆記主体と、前記インクリザーバ内のインクを毛管作用によって筆記端に供給するペン先主体とでペンを構成するに際し、前記ペン先主体を、インクリザーバに充填されたインクの色相と異なる色相に着色したことを特徴とするペン、並びに、前記ペン先主体は、明度２．５以上の有彩色で着色されているとともに、前記インクが、ペン先主体の色相に対し、マンセル表色系の１０色相環で隣り合った類似色相以外の色相であるペン先（例えば、特許文献３参照）、
（３）透光性を有した特定色の着色シートにおける前記特定色に対して補色系統にある色彩で筆記可能な第一のペン先と、前記特定色に対して同色系統にある色彩で筆記可能な第二のペン先と、これら第一のペン先及び第二のペン先を取り付ける単一のボディとを具備してなる暗記用ペン（例えば、特許文献４参照）などが知られている。
【０００７】
しかしながら、上記特許文献２に記載の運筆学習筆は、毛筆における筆毫部の止めや撥ね、払い等の微妙な筆使いを習得するためのものであり、上記特許文献３に記載の筆記具は、意外性に富み、新鮮な感じを与え、遊び心を満足させる遊戯性の高い筆記具であり、上記特許文献４の暗記用ペンは、透光性を有した特定色の着色シートで読み込むための暗記用のペンであり、本発明とは発明の目的や課題が相違するものであり、更に、筆記方向を視認できる可視部（窓部）を備えた筆記具の開示もなく、本発明とは、その発明の目的や課題、技術思想（構成及びその作用効果）が異なるものである。
【先行技術文献】
【特許文献】
【０００８】
【特許文献１】特開２０００−５２６８２号公報（特許請求の範囲、図７等）
【特許文献２】特開平９−７１０８４号公報（特許請求の範囲、図１等）
【特許文献３】特開２００３−１１５７９号公報（特許請求の範囲、図１等）
【特許文献４】特開２０１７−１３３１６号公報（特許請求の範囲、図２５等）
【発明の概要】
【発明が解決しようとする課題】
【０００９】
本発明は、上記従来技術の課題に鑑み、これを解消しようとするものであり、紙面等の筆記面との明度差（コントラスト）を高めることができ、また、ペン芯を低い明度色とすることにより、ペン先の汚れや紙面等に筆記などされたインクからの色写りが目立たず外観を損なうことがないペン先、更に、筆記方向を視認できる可視部を有するペン先にあっては、ひき始めの位置を合わせやすくなるペン先、並びに、これらのペン先を備えた筆記具を提供することを目的とする。
【課題を解決するための手段】
【００１０】
本発明者は、上記従来の課題等を解決するために鋭意検討した結果、ペン芯を備えたペン先であって、ペン芯は少なくとも先端部が着色され、その着色した箇所の明度を特定値以下とすることなどにより、上記目的のペン先及びこのペン先を備えた筆記具が得られることを見出し、本発明を完成するに至ったのである。
【００１１】
すなわち、本発明のペン先は、ペン芯を備えたペン先であって、ペン芯は少なくとも筆記面との先端部が着色され、Ｌ＊ａ＊ｂ＊（ＣＩＥ  ＬＡＢ）表色系での明度（Ｌ＊値）が４０以下であることを特徴とする。また、無彩色度Ｃ＊値が３０以下とすることがより好適である。ここで記載する「先端部」とは、紙面との接触部周辺を示し、筆記者から見たペン先の先端部のことをいう。
少なくともペン芯は、筆跡の色より低い明度の色で着色されていることが好ましく、より好ましくはペン芯と筆跡との明度（Ｌ＊値）の差が３０以上で着色されていることが好ましい。
ペン芯は、焼結芯で構成され、スチレンアクリル樹脂を含有するインクにより着色されていることが好ましい。
また、少なくとも筆記方向を視認することができる可視部を有する保持体と、該保持体に装着されたペン芯で構成された上記構成のペン先を備えた筆記具であることを特徴とする。
【発明の効果】
【００１２】
本発明によれば、紙面などの筆記面との明度差（コントラスト）を高めることができ、また、ペン芯を低い明度色とすることにより、ペン先の汚れや紙面などに筆記等されたインクからの色写りが目立たず外観を損なうことがないペン先及びこのペン先を備えた筆記具が提供される。また、筆記部を透明又は半透明で形成された保持体とペン芯を組み合わせたペン先とすることにより、ひき始めの位置を合わせやすくなる。
【図面の簡単な説明】
【００１３】
【図１】本発明のペン先を筆記具の先軸に取り付けた実施形態の一例を示すものであり、（ａ）は左側方向から見た斜視図、（ｂ）は（ａ）の逆となる右側方向から見た斜視図である。
【図２】本発明のペン先の実施形態の一例を示す各図面であり、（ａ）は背面図、（ｂ）は平面図、（ｃ）正面図、（ｄ）は縦断面図、（ｅ）は左側方向から見た斜視図、（ｆ）は（ｅ）の右側方向から見た斜視図、（ｇ）は右側面図、（ｈ）は左側面図、（ｉ）は（ｅ）の逆となる左側方向から見た斜視図、（ｊ）は（ｉ）の右側方向から見た斜視図である。
【図３】（ａ）〜（ｆ）は、保持体の一例を示す各図面であり、（ａ）は背面図、（ｂ）は平面図、（ｃ）正面図、（ｄ）は縦断面図、（ｅ）は左側方向から見た斜視図、（ｆ）は（ｅ）の右側方向から見た斜視図、（ｇ）は右側面図、（ｈ）は左側面図、（ｉ）は（ｅ）の逆となる左側方向から見た斜視図、（ｊ）は（ｉ）の右側方向から見た斜視図である。
【図４】図２のペン先を用いた筆記具の一例を示す部分縦断面図である。
【図５】本発明のペン先の他例を筆記具の先軸に取り付けた実施形態の一例を示すものであり、（ａ）は左側方向から見た斜視図、（ｂ）は（ａ）の逆となる右側方向から見た斜視図である。
【図６】本発明のペン先の他例を筆記具の先軸に取り付けた実施形態の一例を示すものであり、（ａ）は左側方向から見た斜視図、（ｂ）は（ａ）の逆となる右側方向から見た斜視図である。
【図７】本発明の他例の筆記具を示すものであり、（ａ）は左側方向から見た斜視図、（ｂ）キャップを取り外した正面図、（ｃ）はキャップを取り外した状態の正面断面図、（ｄ）は中綿の横断面図、（ｅ）は（ｄ）のＺ１領域の細径繊維を示す模式図、（ｆ）は（ｄ）のＺ２領域の太径繊維を示す模式図である。
【発明を実施するための形態】
【００１４】
以下に、本発明の実施形態について図面を参照しながら詳しく説明する。
図１（ａ）及び（ｂ）は、本発明のペン先を筆記具の先軸に取り付けた実施形態の一例を示す各斜視図であり、図２（ａ）〜（ｊ）は本発明のペン先の実施形態の一例を示す各図面であり、図３（ａ）〜（ｊ）は、保持体の一例を示す各図面であり、図４は図２のペン先を用いた筆記具の一例を示す部分縦断面図である。
本実施形態のペン先Ａは、図１及び図２に示すように、筆記方向を視認することができる可視部を有する保持体１０と、該保持体１０に装着されたペン芯２０とを備えたものである。
【００１５】
保持体１０は、図１、図２（ａ）〜（ｊ）及び図３（ａ）〜（ｊ）に示すように、筆記芯となるペン芯２０を固定して、軸体３０の先軸３５先端開口部に固着されるものであり、膨出状の本体部１１と、該本体部１１の前方側に、フランジ部１２と、筆記方向を視認することができる可視部１３とを有すると共に、可視部１３の先端側にペン芯２０の先端側（端面）を保持する前方保持部１４ａ，１４ｂとを有するものである。本実施形態では、前方保持部１４ａ，１４ｂの長手方向長さを異ならしめているもの、すなわち、ペン芯２０の先端側（端面）を保持する長さが長い前方保持部１４ａと短い前方保持部１４ｂとし、前方保持部１４ａの先端側の端部はペン芯２０の先端側の端部と同じ位置（端部）にあり、前方保持部１４ｂは後述するように突出量（突出長さ分）だけ短い寸法となっている。なお、上記保持体１０において、ペン芯２０の先端側（端面）を保持する長い前方保持部１４ａと短い前方保持部１４ｂとしたが、前方保持部１４ａと前方保持部１４ｂとの保持長さを同じくしてもよいものである。
また、上記本体部１１の後方側に、上記本体部１１に連設される保持片１５を有する後方保持部１６を備えたものである。これらの部材から構成される保持体１０の長手方向外周面全体には、後述するコ字型状のペン芯２０を嵌入保持する保持溝１６が形成されている。更に、本体部１１の幅方向外周面には、凹状の嵌合部１１ａが形成され、長手方向外周面となる両面空気流通溝には、それぞれ直線状の空気流通溝１１ｂと屈曲状の空気流通溝１１ｃが形成されている。
【００１６】
このように構成される保持体１０全体は、硬質材料で構成されており、例えば、視認性を有する硬質材料、例えば、金属、ガラス、ゴム弾性を有しない樹脂などから構成されるものである。視認可能となるゴム弾性を有しない樹脂としては、例えば、ＰＰ、ＰＥ、ＰＥＴ、ＰＥＮ、ナイロン（６ナイロン、１２ナイロン等の一般的なナイロン以外に非晶質ナイロン等を含む）、アクリル、ポリメチルペンテン、ポリスチレン、ＡＢＳ等の可視光線透過率が５０％以上の材料から成形により構成することにより、可視部１３で筆記方向に書いてある文字を有効に視認できることとなる。なお、可視部１３だけを視認性を有する材料で構成してもよい。なお、可視光線透過率は多光源分光測色計〔スガ試験機社製、（ＭＳＣ−５Ｎ）〕にて反射率を測定することで求めることができる。
また、保持体１０は、上記各材料の一種類、または、耐久性、視認性の更なる向上の点などから、２種類以上の材料を用いて構成してもよく、射出成形、ブロー成形などの各種成形法により成形することができる。
【００１７】
ペン芯２０は、図１、図２（ａ）〜（ｊ）に示すように、断面が円形形状で、全体が略コ字型形状となるものであり、インク誘導部２１、２１と、該インク誘導部２１、２１からのインクを導出する筆記部２２とを備えたものであり、インク誘導部２１、２１と筆記部２２との角部は切り落とされたカット面部２３、２３とを有している。また、インク誘導部２１、２１の表面部には平滑面となるカット平滑面部２１ａが形成されている。
このペン芯２０は、多孔質部材から構成されるものであり、例えば、天然繊維、獣毛繊維、ポリアセタール系樹脂、ポリエチレン系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる並行繊維束、フェルト等の繊維束を加工又はこれらの繊維束を樹脂加工した繊維芯、または、ポリオレフィン系樹脂、アクリル系樹脂、ポリエステル系樹脂、ポリアミド系樹脂、ポリウレタン系樹脂等の熱可塑性樹脂などのプラスチック粉末などを焼結したポーラス体（焼結芯）などからなるものである。
好ましいペン芯２０としては、繊維束芯、繊維芯、焼結芯、フェルト芯、スポンジ芯、無機多孔体芯であり、特に好ましくは、変形成形性の点、生産性の点から、焼結芯が望ましい。
【００１８】
また、用いるペン芯２０の気孔率、大きさ、硬度などは、インク種、筆記具の種類等により、変動するものであり、例えば、気孔率では３０〜６０％とすることが好ましい。本実施形態では、平均粒子径２００μｍのポリエチレン粉末を焼結した気孔率５５％の焼結芯（焼結体）から構成されている。なお、平均粒子径は、電子顕微鏡にて、測定した粒子の直径の平均値を示し、電子顕微鏡に投影された画像内の２０個の粒子について測定した粒子径の平均値である。粒子が円形でない場合は、気孔を形成する輪郭の任意の２点を結ぶ線分のうち、最も長い線分の長さと最も短い線分の長さを足して２で割った値を、その粒子の粒子径とする。
また、気孔率は下記のようにして算出される。まず、既知の質量及び見掛け体積を有する筆記芯を水中に浸し、十分に水を浸み込ませた後、水中から取り出した状態で質量を測定する。測定した質量から、筆記芯に浸み込ませた水の体積が導出される。この水の体積を筆記芯の気孔体積と同一として、下記式（Ａ）から、気孔率が算出される。
気孔率（単位：％）＝（水の体積）／（筆記芯の見掛け体積）×１００  ……（Ａ）
【００１９】
本発明において、上記材質、特性のペン芯２０は、少なくとも紙面などの筆記面との接触部が着色され、Ｌ＊ａ＊ｂ＊（ＣＩＥ  ＬＡＢ）表色系での明度（Ｌ＊値）が４０以下となっている。
ペン芯２０を着色する部分は、紙面などの筆記面との明度差（コントラスト）を高めることができ、本発明の効果を発揮するできる箇所を着色する必要があり、具体的には、少なくとも紙面などの筆記面と接触する部分（以下、「ペン芯の一部」という）が着色されている必要があり、例えば、ペン芯の筆記部２２が着色されており、ペン芯２０全体である必要はないものである。
図１では、ペン芯２０全体を着色し（図１上、斜線部が着色部）、その明度（Ｌ＊値）を４０以下としたものである。
上記Ｌ＊ａ＊ｂ＊（ＣＩＥ  ＬＡＢ）表色系は、色相評価を行うための色調を表す方法の一つであり、国際照明委員会（ＣＩＥ）が策定した、目で見える色を色空間として表現するものである。この明度（Ｌ＊値）は、黒色度の傾向を示す一指標である。上記明度（Ｌ＊値）が４０超過であると紙面との明度差（コントラスト）を高めることができず、本発明の効果を発揮することができないこととなる。
本発明において、上記材質、特性のペン芯２０は少なくとも筆記面との先端部が着色され、Ｌ＊ａ＊ｂ＊（ＣＩＥ  ＬＡＢ）表色系での明度（Ｌ＊値）が４０以下となっている。
好ましくは、本発明の効果を更に発揮せしめる点から、より好ましくは、明度（Ｌ＊値）が３０以下（０〜３０）の範囲であることが望ましい。更に好ましくは、明度（Ｌ＊値）と同様に黒色度の指標となる無彩色度Ｃ＊が３０以下（０〜３０）であることが好ましい。
なお、無彩色度Ｃ＊は、下記式（Ｂ）より算出される。
無彩色度Ｃ＊＝（ａ＊２＋ｂ＊２）１／２            ・・・（Ｂ）
【００２０】
本発明において、ペン芯２０をＬ＊ａ＊ｂ＊（ＣＩＥ  ＬＡＢ）表色系での明度（Ｌ＊値）を４０以下とする方法等としては、特に限定されず、例えば、ペン芯成形後のペン芯の一部又は全体を着色する方法、また、ペン芯を保持体に装着後にペン芯の一部又は全体を着色する方法、ペン芯の材料となる樹脂（樹脂製粉体等）、繊維（束）の段階で着色した樹脂、繊維束を用いて成形してペン芯の一部又は全体を着色したものでも良いものである。
具体的に、明度（Ｌ＊値）を４０以下とする方法としては、カーボンブラックのような炭素系黒色顔料、鉄酸化物（例えば、マグネタイト型四酸化三鉄）や、銅とクロムからなる複合酸化物、銅、クロム、亜鉛からなる複合体、チタン系酸化物などの酸化物系黒色顔料、黒色染料など用いて行うことができ、例えば、成型後のペン芯２０を保持体１０に装着して、ペン先を作製後、定着用樹脂、着色用着色材を含むインクによりペン芯２０の全体を着色する方法などを挙げることができる。
更に好ましくは、少なくともペン芯２０は、筆記具用インクによる筆跡の色より低い明度（Ｌ＊値）の色で着色されていることが望ましく、特に好ましくは、ペン芯と筆跡との明度（Ｌ＊値）の差が３０以上で着色されていることが好ましい。
い。例えば、筆跡の色が黄色、桃色、緑色などの場合に、これらの筆跡の色より低い明度（Ｌ＊値）の色、例えば、黒色でペン芯２０の一部又は全体を着色することが望ましい。
特に好ましいペン芯２０は、焼結芯で構成され、スチレンアクリル樹脂、明度（Ｌ＊値）を４０以下とする着色用着色材を含有するインクによりペン芯の一部又は全体を着色して、着色した箇所の明度（Ｌ＊値）が４０以下となるものが望ましい。
【００２１】
また、上記ペン芯２０の幅方向の長さｔは、十分な筆記流量の確保を確保する点から、好ましくは、０．５０ｍｍ以上、特に、１．００〜３．００ｍｍであることが望ましい。
筆記部２２は、筆記しやすい傾きとなるように、傾斜状（ナイフカット状）となっており、この傾き等は、筆記等の使い勝手に合わせて適宜設定される。また、この筆記部２２は、描線幅Ｗが太いものであり、好ましくは、描線幅Ｗは１ｍｍ以上、更に好ましくは、描線幅Ｗは２ｍｍ以上の描線幅となる筆記部が望ましい。
【００２２】
このペン先Ａにおいて、上記ペン芯２０の保持体への固着（装着）は、保持溝１７に上記ペン芯２０を嵌入し、前方保持部１４ａ，１４ｂと保持片１５を有する後方保持部１６との保持により固着されることとなる。更に、ペン芯２０の固着（抜け止め）を確実にするために、接着剤による接着、溶着などを更に用いても良いものである。また、ペン芯２０の筆記部２２と接触する保持体１０の保持溝１６の接触面部に楔形状の非平滑面部を形成して更に上記ペン芯２０の保持体１０への固着を確実にしてもよいものである。本実施形態では、図２（ｄ）に示すように、上記楔形状の非平滑面部１８を形成している。
【００２３】
本実施形態では、図４（ｂ）に示すように、保持体１０からのペン芯２０の先端側の突出量Ｙが０．６５ｍｍ以上、１．０５ｍｍ以下となっており、これにより強い筆記荷重で筆記してもペン芯２０の先端側の突出量Ｙを極力保持体内面で筆記芯を押さえる構造となるため、筆記性能を損なうことなく、ペン芯の破損を防ぎ耐久性に優れるものとしている。突出量Ｙが、０．６５ｍｍよりも短いと、ペン体を寝かせて筆記する際に、保持体が接触し、筆記できなくおそれがあり、一方、突出量Ｙが、１．０５ｍｍよりも長いと、強い筆記荷重により、筆記性能を損なう可能性がある。なお、図４（ｄ）に示すＸは筆記芯幅であり、上記突出量Ｙは、上記０．６５ｍｍ以上、１．０５ｍｍ以下であると共に、筆記芯幅Ｘの５０％未満であることが好ましい。
【００２４】
また、本発明では、上記実施形態の他、保持体１０からのペン芯２０の先端側の突出量Ｙをペン芯の厚さｔの４０〜６５％とすることによっても、筆記性能を損なうことなく、ペン芯の破損を防ぎ耐久性に優れるものとなる。筆記芯の先端側の突出量Ｙをペン芯２０の厚さｔの４０〜６５％（Ｙ／ｔが４０〜６５％）とすることにより、強い筆記荷重で筆記してもペン芯２０の先端側の突出量Ｙが筆記芯の厚さとの関係から、ペン芯の強度を更に保持できると共に、突出量Ｙを極力保持体内面でペン芯を押さえる構造となるため、更に筆記性能を損なうことなく、ペン芯の破損を防ぎ耐久性に優れるものとしている。より好ましくは、ペン芯２０の先端側の突出量Ｙはペン芯厚さｔの４８〜５８％とすることが望ましい。この突出量Ｙがペン芯の厚さｔの４０％未満であると、強い筆記荷重により、筆記性能を損なう可能性があり、一方、６５％超過であると、保持体が厚くなり、筆記の際に紙面が見にくくなる。なお、Ｘはペン芯幅Ｘであり、上記突出量Ｙは、上記ペン芯の厚さｔの４０〜６５％と共に、ペン芯幅Ｘの５０％未満（Ｙ／Ｘが５０％未満）であることが好ましい。
特に好ましい形態としては、保持体からの筆記芯の先端側の突出量Ｙを０．６５ｍｍ以上、１．０５ｍｍ以下及び筆記芯厚さｔの４０〜６５％とすることが望ましい。
【００２５】
このように構成される本発明のペン先Ａは、少なくとも、筆記方向を視認することができる可視部１３を有する保持体１０と、該保持体１０に装着されたペン芯２０とを備えたものであり、少なくともペン芯２０の一部又は全体は着色され、着色された部分のＬ＊ａ＊ｂ＊（ＣＩＥ  ＬＡＢ）表色系での明度（Ｌ＊値）が４０以下とすることにより、紙面などの筆記面との明度差（コントラスト）を高めることができ、可視部１３で視認側を見れば、ひき始めの位置を合わせやすくなり、また、ペン芯２０を低い明度色とすることにより、ペン先Ａの汚れや紙面などに筆記等されたインクからの色写りが目立たず外観を損なうことがないペン先を得ることができるものとなる。
【００２６】
本発明の筆記具は、上記構成のペン先を備えたことを特徴とするものである。なお、本発明の筆記具は、上記構成のペン先を備えたことを特徴とするものであり、ペン先以外の構成は、特に限定されるものではない。
図４は、本発明の筆記具の実施形態の一例を示すものであり、図２のペン先Ａを用いた筆記具の一例を示す部分縦断面図である。
本実施形態の筆記具Ｂは、上記構成のペン先Ａ、筆記具本体となる軸体３０、インク吸蔵体４０、キャップ５０、５１を備えたものである。
【００２７】
この筆記具Ｂは、図４に示すように、筆記具本体となる軸体３０内のインク吸蔵体４０にインクを吸蔵させ、図４右側となる一端に細字タイプのペン体３１と他端（図４左側）に上記構成のペン先Ａを有し、インク吸蔵体４０のインクを毛管作用により、それぞれペン体３１及びペン先Ａのペン芯２０に供給する構成となっている。図示符号５０、５１は後述する軸体３０の両端部側に着脱自在に嵌合するペン先Ａ及びペン体３１を保護するキャップである。
【００２８】
軸体３０は、例えば、熱可塑性樹脂、熱硬化性樹脂等で形成されるものであり、筆記具用インクを含浸したインク吸蔵体４０を収容する筒状体からなると共に、図４右側となる一端側は細字タイプのペン体３１を保持する後軸３２を嵌合により固着するための嵌合部を有する後軸保持部３３となっており、図４左側となる他端には、上記構成のペン先Ａを固着する先軸３５を有している。
軸体３０は、例えば、ポリプロピレン等からなる樹脂を使用して筒状に成形され、筆記具の本体（軸体）として機能する。軸体全体３０及び先軸３５は不透明又は透明（及び半透明）に成形されるが、外観上や実用上の観点からいずれを採用しても良い。また、軸体３０の前方側に先軸３５が嵌合等により固着される構造となっている。
インク吸蔵体４０は、水性インク、油性インクなどの筆記具用インクを含浸したものであり、例えば、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる繊維束、フェルト等の繊維束を加工したもの、また、スポンジ、樹脂粒子、焼結体等の多孔体を含むものである。このインク吸蔵体４０は、軸体３０内に収容保持されている。
【００２９】
用いる筆記具用インクの組成は、特に限定されず、筆記具の用途等に応じて、水性インク、油性インク、熱変色性インクなどの好適な配合処方とすることができ、例えば、アンダーラインペン等ではインクに蛍光色素、例えば、ベーシックバイオレット１１、ベーシックイエロー４０、熱変色性マイクロカプセル顔料などを含有させることできる。
これらのインクは、インク配合成分種、各配合量を調整することなどにより、インク粘度（２５℃：コンプレート型粘度計）１〜５ｍＰａ・ｓ、表面張力３０〜６０ｍＮ／ｍ、ペン芯２０及びペン体３１からのインク流出量を５〜２０ｍｇ／ｍに設定することが好ましい。
なお、筆記具用インクを熱変色性インクとした場合は、ＪＩＳ  Ｓ  ６０５０−２００２に規定する鉛筆描線の消し能力（消字率）が７０％以下の熱可塑性エラストマーをキャップ５０の頂部に形成し、擦過動作により摩擦熱を発生容易かつ低摩耗な摩擦体とすることができる。
【００３０】
上記構成のペン芯２０を固着した保持体１０から少なくともなるペン先Ａを、先軸３５内に挿入すると、筆記芯２０は保持体１０を介して筆記具本体となる軸体３０に装着（固着）されると共に、ペン芯２０のインク誘導部２１、２１の後方側端部２１ａ、２１ａはインク吸蔵体２０の先端側内部に入り込む構成となっている。また、ペン体３１を保持した後軸３２を軸体３０の後軸保持部３３内に挿入すると、ペン体３１は嵌合等により筆記具本体となる軸体３０に装着（固着）されるものとなる。
なお、インク吸蔵体４０の先端側内部にインク誘導部２１、２１の後方側端部２１ａ、２１ａを挿入する凹部を形成してもよい。また、軸体３０内の圧力等が増大にした際に、インク垂れ等がペン先から生じることがあるが、本実施形態の筆記具Ｂでは、図２に示すように、空気流通溝４１ｂ，４１ｃを介して軸体１０内と外気とを調整している。
キャップ５０は、先軸１５の先端側外周面に嵌合等により着脱自在に取り付けられるものであり、キャップ５１は、先軸３５の逆方向の軸体３０の端部外周面に嵌合等により着脱自在に取り付けられるものである。
【００３１】
本発明となる筆記具Ｂでは、筆記具の軸体３０内に筆記具用インクを吸蔵したインク吸蔵体４０を挿入して保持せしめ、先端側を先軸３５を介して上記構成のペン先Ａを順次嵌合等により固着せしめ、他端側をペン体３１を固着せしめた後軸保持部３３を嵌合により固着せしめることにより、簡単に筆記具Ｂを作製することができ、インク吸蔵体４０に吸蔵されたインクは毛管力によりペン先Ａのペン芯２０の筆記部２２、並びに、ペン体３１に効率的に供給され、筆記に供されるものとなる。
【００３２】
このように構成されるペン芯がツインタイプの筆記具Ｂでは、図４、図１に示すように、一端側に、少なくとも、筆記方向を視認することができる可視部１３を有する保持体１０と、該保持体１０に装着されたペン芯２０とを備えたペン先Ａを有するものであり、少なくともペン芯２０の一部又は全体は着色され、着色された部分のＬ＊ａ＊ｂ＊（ＣＩＥ  ＬＡＢ）表色系での明度（Ｌ＊値）が４０以下とすることにより、紙面との明度差（コントラスト）を高めることができ、可視部１３で視認側を見れば、ひき始めの位置を合わせやすくなり、また、ペン芯２０を低い明度色とすることにより、ペン先Ａの汚れや紙面に筆記等されたインクからの色写りが目立たず外観を損なうことがないペン先を有する筆記具Ｂを得ることができるものとなる。
【００３３】
本実施形態では、上記紙面との明度差（コントラスト）を高めることができ、可視部１３で視認側を見れば、ひき始めの位置を合わせやすくなると共に、保持体１０からのペン芯２０の先端側の突出量Ｙは、保持部が長い方で０．６５ｍｍ以上、保持部が短い方で１．０５ｍｍ以下となっており、ペン芯２０の先端側を保持する前方保持部１４ａ，１４ｂの長さを異ならしめること、具体的には、ペン芯２０の先端側（端面）を保持する長さが長い前方保持部１４ａと短い前方保持部１４ｂとなっているので、特に、右利きで左から右方向に筆記する際に、突出部（突出量）で描線を引くことなどができ、しかも、保持する長さが長い左側の前方保持部１４ａでペン芯の突出部を確実に保持（保護）して強度を高めるので、このペン芯２０の先端側（端面）を保持する長さが長い前方保持部１４ａと短い前方保持部１４ｂとの筆記部２２の保持構造、及び上記突出量Ｙの限定とにより、強い筆記荷重で筆記してもペン芯２０の先端側の筆記性能を損なうことなく、極力保持体１０（１４ａ）内面で筆記芯を押さえる構造となるため、ペン芯２０の破損を防ぎ耐久性に優れる筆記具が提供されるものとなる。更に、本実施形態における保持体１０は、筆記方向に対して反対側の保持体１０端面が筆記方向側の保持体端面より突出せしめることにより、右手で左から右側に筆記する方向に特に効果を有する筆記具が提供される。なお、保持体１０の端面が前記と反対側に突出して形成された際は、左手で右から左側に筆記する方向又は右手で上から下側に筆記する方向に特に効果を有する筆記具が提供される。
【００３４】
また、上記筆記具Ｂにおいては、紙面との明度差（コントラスト）を高めることができ、可視部１３で視認側を見れば、ひき始めの位置を合わせやすくなると共に、保持体１０からの筆記芯２０の先端側の突出量Ｙを０．６５ｍｍ以上、１．０５ｍｍ以下とすることなく、筆記芯の厚さｔの４０〜６５％とすることによっても、上記実施形態と同様に、ペン芯２０の破損を防ぎ耐久性に優れる筆記具となる。すなわち、この実施形態でも、ペン芯の先端側の突出量Ｙをペン芯の厚さｔの４０〜６５％とすることにより、強い筆記荷重で筆記してもペン芯２０の先端側の突出量Ｙがペン芯の厚さとの関係から、ペン芯の強度を更に保持できると共に、突出量Ｙを極力保持体内面で筆記芯を押さえる構造となるため、更に筆記性能を損なうことなく、ペン芯の破損を防ぎ耐久性に優れる筆記具が提供されるものとなる。
【００３５】
本発明のペン先、筆記具は、上記実施形態などに限定されることなく、本発明の技術思想を変更しない範囲内で種々変更することができる。上記実施形態（図１〜図４）と同様の構成・作用などは、同じ図示符号を表示して、その説明を省略する。
上記実施形態では、図１に示すように、ペン芯２０全体を着色し、明度（Ｌ＊値）が５０以下としたものであったが、上述の材質、特性のペン芯２０は少なくとも筆記面との先端部を着色し、明度（Ｌ＊値）を４０以下としてもよいものである。
例えば、図５に示すように、ペン先Ｃのペン芯２０は、少なくとも筆記面との先端部となる筆記部２２部分を着色し、その明度（Ｌ＊値）を４０以下、好ましくは、明度（Ｌ＊値）を３０以下（０〜３０）の範囲とすることが望ましい。更に好ましくは、無彩色度Ｃ＊を３０以下（０〜３０）とすることが好ましい。
【００３６】
また、図６に示すように、ペン先Ｄのペン芯２０を着色する部分として、保持体１０のペン芯２０の先端側（端面）を保持する同じ長さとなる前方保持部１４ａと前方保持部１４ｂとが保持しない部分（外面側）を着色し、上記と同様の明度（Ｌ＊値）、更に好ましくは、上述の無彩色度Ｃ＊とすることが望ましい。
図５、図６の場合においても、紙面などの筆記面との明度差（コントラスト）を高めることができ、可視部１３で視認側を見れば、ひき始めの位置を合わせやすくなり、また、ペン芯２０を低い明度色とすることにより、ペン先Ｃ、Ｄの汚れや紙面に筆記等されたインクからの色写りが目立たず外観を損なうことがないペン先を有する筆記具Ｂなどを得ることができるものとなる。
【００３７】
また、上記実施形態において、ペン芯２０を焼結芯タイプの筆記芯について詳述したが、ペン芯２０は焼結体以外に、上述の如く、繊維束体、発泡体、海綿体、フェルト体などであってもよい。
更に、上記各実施形態では、インク吸蔵体４０に吸蔵されたインクを毛管力によりペン芯２０の筆記部２２に効率的に供給せしめる方式（中綿式）の筆記具を示したが、弁機構を備えた筆記具、例えば、筆記具本体となる軸体内に直接インクが収容されたインク室を設けて、インク室と筆記芯との間に弁機構を設け、ペン先方向の押圧移動で弁機構のスプリングの附勢力に抗して弁棒を後退させて弁部を解放してインクの導出を行い、ペン芯にインクを供給する構成の筆記具であってもよいものである。
【００３８】
図７は、他例のマーキングペンタイプの筆記具Ｅであり、図１と異なる点は保持体１０を備えていない形態となっている。
本実施形態に係る筆記具Ｅは、図７（ａ）に示すように、軸筒６０の両端に２つのポリプロピレン等の樹脂製のキャップ８０が嵌合により着脱自在に装着された外観を呈している。なお、以下の説明では、両端に各々設けられているペン先６４のうち、太ペン先６５が設けられている方を先端側とし、一方、細ペン先６６が設けられている方を後端側とする。
これらの前記キャップ８０を取り外すと、図７（ｂ）に示すように、前記軸筒６０の両端からは筆記用の各々前記ペン先６４が露出する。
前記軸筒６０は、筒状を呈する中央部６１と、該中央部６１の後端側に一体形成されている細ペン先収容部６２と、前記中央部６１の先端側の開口部分に嵌め込んで連結する太ペン先収容部６３とを有し、ポリプロピレン等の樹脂で構成されている。
【００３９】
前記中央部６１には、インクを充填した中綿６７を収容されている〔図７（ｃ）参照〕。前記中綿６７は略円筒形状に成型され、その直径は、前記中央部６１の内径寸法と同程度の外径であり、長さは前記中央部６１の長さと同程度となっている。
また、前記中綿６７の繊維は、長手方向に延びていて、長手方向に細径繊維６８と太径繊維６９とを備える。なお、前記太径繊維６９は、前記細径繊維６８よりも断面積が大きい繊維のことである。そして、前記細径繊維６８と前記太径繊維６９とは、巻きフィルム７０によって包まれる。このとき、前記太径繊維６９は、前記中綿６７の一方側にまとめて配置される。
また、前記中綿６７に充填したインクは、毛細管現象により前記細径繊維６８の相互間に保持される。一方、前記太径繊維６９の相互間は間隙が大きいため、前記細径繊維６８の相互間と比較して毛管力が弱くなっている。そのため、インクはより毛管力の強い前記細径繊維６８の相互間に吸引されるので、前記太径繊維６９の相互間はインクを保持することはなく、これが空気通路７１となっている〔図７（ｆ）参照〕。
【００４０】
そして、２つの前記ペン先６４は、両ペン先６４の各々の一端が前記細径繊維６８と接触するように差し込まれており、インクは毛細管現象により２つの前記ペン先６４の他端に浸透する。
図７（ｃ）に示すように、前記細ペン先６６は、先端側で前記細径繊維６８と接触する細中継芯６６ａと、前記細ペン先収容部６２から後端側へ露出する細先芯６６ｂとを有する。前記細先芯６６ｂは、後端方向に先細りに形成されている。
前記太ペン先６５は、後端側で前記細径繊維６８と接触する太中継芯６５ａと、前記太ペン先収容部６３から先端側へ露出するペン芯となる太先芯６５ｂとを有する。前記太先芯６５ｂの先端は斜めにカットされている。
図７（ｃ）に示す前記太ペン先６５及び細ペン先６６は繊維束を固めたものや、焼結芯で形成されている。
本実施形態では、ペン芯となる太先芯６５ｂは、少なくとも筆記面との先端部が着色され、Ｌ＊ａ＊ｂ＊（ＣＩＥ  ＬＡＢ）表色系での明度（Ｌ＊値）が４０以下となっている。好ましくは、本発明の効果を更に発揮せしめる点から、より好ましくは、明度（Ｌ＊値）が３０以下（０〜３０）の範囲であることが望ましい。更に好ましくは、明度（Ｌ＊値）と同様に黒色度の指標となる無彩色度Ｃ＊が３０以下（０〜３０）であることが好ましい。
更に好ましくは、少なくともペン芯となる太先芯６５ｂは、筆記具用インクによる筆跡の色より低い明度（Ｌ＊値）の色で着色されていることが望ましく、特に好ましくは、ペン芯と筆跡との明度（Ｌ＊値）の差が３０以上で着色されていることが好ましい。
【００４１】
前記中綿６７の断面は、図７（ｄ）に示すように、比較的大きな領域を占める細径繊維領域７２と、一側に偏在する太径繊維領域７３とを有する。前記細径繊維領域７２は、デニールの値の比較的小さい繊維を複数本纏めた束を、さらに複数束纏めたものであり、その繊維間の間隙は図７（ｅ）に示すように比較的狭く、ここにインクを保持する毛細管力が発生することとなっている。一方、前記太径繊維領域７３は、デニールの値の比較的大きい繊維を複数本纏めたものであり、その繊維間の間隙は図７（ｆ）に示すように比較的広く、この部分にはインクを保持できるほどの毛細管力は発生せず、前記空気通路７１となっている。
【００４２】
そして前記中綿６７は、前記細径繊維６８と前記太径繊維６９とを筒状に束ね、前記巻きフィルム７０によって包まれる。このとき、前記巻きフィルム７０は、樹脂等のフィルムで前記中綿６７を包む方法や、前記中綿６７の外周部をコーティングする方法等が構成される。
前記太径繊維領域７３の占有範囲は、前記中綿６７全体（全体積）の５〜３０％程度の割合を占めることが望ましい。本実施形態では、１６．３％である。
また、前記細径繊維６８の太さは、５デニール未満であり、望ましくは３デニール程度である。本実施形態では、細径繊維６８の太さは、３デニールであり、その領域には９９０００本から構成されている。
前記太径繊維６９の太さは、前記細径繊維６８の太さの１．５倍〜８倍であることが望ましい。また、前記太径繊維６９の太さは、５デニール以上、できれば１０デニール以上とすることが望ましく、特に好ましくは、１５デニール以上が望ましい。本実施形態では、太径繊維６９の太さは、１５デニールであり、その領域には３８５本から構成されている。
本実施形態の筆記具Ｅでは、ペン先６５からのインク流出量Ｘを５〜２０ｍｇ／ｍ、ペン先６６からインク流出量Ｙを０．１〜５ｍｇ／ｍとし、Ｘ＞Ｙと設定することで筆跡の使い分けが容易となるので好ましい。インク流出量の測定は、自動筆記装置にペン体をセットして、ＪＩＳ  Ｓ６０３７に従い、上質紙面上で筆記角度６５°、筆記力１Ｎ、速度７ｃｍ／ｓでのものである。
【００４３】
前記中綿６７にインクを充填すると、前記太径繊維６９の間は間隙が大きいためインクを保持することなく、前記細径繊維６８の相互間がインクを保持することとなる。そのため、前記太径繊維６９の間に、前記中綿６７内の空気を逃がす空間である前記空気通路７１が形成されることとなる。
【００４４】
このように構成される筆記具Ｅでは、前記ペン先６５の一端を前記細径繊維６８に接触させると、前記細径繊維６８内のインクは、毛細管現象によって前記ペン先６５の他端に浸透する。そして、前記ペン先６５の他端に浸透したインクが紙面に伝わり筆記が可能となる。
この構成の筆記具Ｅにおいても、紙面などの筆記面との明度差（コントラスト）を高めることができ、また、ペン芯となる太先芯６５ｂを低い明度色とすることにより、ペン先６５の汚れや紙面に筆記等されたインクからの色写りが目立たず外観を損なうことがないペン先を有する筆記具Ｅを得ることができるものとなる。
また、本実施形態の筆記具Ｅにおいて、筆記中等において、何らかの原因で前記中綿６７内に空気が侵入して滞留し、その後、気圧変化又は温度変化で前記中綿６７内の空気が膨張した場合であっても、前記太径繊維６９の間に形成される前記空気通路７１を通じ、滞留した空気が前記空気通路７１から排出されることとなる。したがって、滞留した空気の膨張によってインクを噴き出させることはない。
また、前記中綿６７に前記太径繊維６９を混ぜるといっても、そのほとんどの割合を前記細径繊維６８が占めているためインクの充填量をさほど減少させずに済み好適なインク量が充填されている。
更に、本実施形態に係る筆記具Ｅは両端にペン先のあるマーカーペンとしているが、これに限定されず、中綿６７にインクを浸漬させて保持するタイプのサインペンやボールペン等としても実現可能である。
【００４５】
さらにまた、上記実施形態では、ペン先Ａに、可視部１３を有する保持体１０に装着したペン芯２０を備えたものと、反対側にペン体３１とを有するツインタイプの筆記具を挙げたが、ペン体３１を省略（軸体を有底筒状の軸体と）して、ペン芯２０を一つのシングルタイプの筆記具としてもよいものであり、また、ノック式の筆記具であってもよいものである。上記実施形態に係る筆記具Ｅにおいても、ペン先６５のシングルタイプの筆記具としてもよいものであり、また、ノック式の筆記具であってもよいものである。
上記実施形態の筆記具Ｂ、Ｅなどでは、筆記具本体の軸体などの断面を円形軸に形成したが、三角形状、四角形以上の方形状などの異形形状、楕円形状にしてもよいものである。
更に、上記各実施形態では、筆記具用のインク（水性インク、油性インク、熱変色性インク）で説明したが、液状化粧料、液状薬剤、塗布液、修正液などの液状体としてもよいものである。
【実施例】
【００４６】
次に、実施例により、本発明を更に詳述するが、本発明は下記実施例に限定されるものではない。
【００４７】
〔実施例１〕
下記構成及び図１〜図４に準拠するペン先、筆記具、下記組成のペン芯着色用インク、筆記具用インクを使用した。ペン芯、保持体等の寸法等は下記に示す大きさ等を使用した。
【００４８】
（保持体１０の構成）
アクリル樹脂製、可視光線透過率８５％〔スガ試験機社製、多光源分光測色計（ＭＳＣ−５Ｎ）にて反射率を測定し、可視光線透過率とした。〕
筆記芯取り付け後の可視部１３（四角形）の大きさ：５ｍｍ×６ｍｍ×３ｍｍ×４ｍｍ
（ペン芯２０の構成）
ポリエチレン（ＰＥ）製焼結芯、気孔率６０％、筆記部２２：Ｗ＝４ｍｍ、ナイフカット状、インク誘導部：φ（ｔ）１．６ｍｍ、突出量Ｙ＝０．８５ｍｍ（ｔの５３％）、突出量Ｙの反対側の突出量Ｙ´＝０．６５ｍｍ（ｔの４０％）、筆記芯幅Ｘ＝１．７５ｍｍ
【００４９】
（保持体１０、ペン芯２０以外の筆記具部材の構成）
インク吸蔵体：ＰＥＴ繊維束、気孔率８５％、φ６×７７ｍｍ
筆記具本体、キャップ：ポリプロピレン（ＰＰ）製
ペン体３１：ポリエステル製繊維束芯、気孔率６０％、φ２．０×４０．０ｍｍ
【００５０】
（ペン芯着色用インク組成）
ペン芯２０の着色用インクとして、下記組成のインク（合計１００質量％）を使用した。
カーボンブラック                                        １質量％
スチレンアクリルエマルション                            ９質量％
エチルアルコール                                      １０質量％
イオン交換水                                          ８０質量％
【００５１】
（ペン芯着色方法）
上記ペン芯着色用インクを用いて下記方法によりペン芯２０全体を着色した。
まず、ペン芯に含浸後、５０℃ドライ条件下で、２日間乾燥して、ペン芯２０全体を着色した。
【００５２】
〔ペン芯２０の明度（Ｌ＊値）、無彩色度Ｃ＊の測定等〕
ペン芯２０のＬ＊ａ＊ｂ＊（ＣＩＥ  ＬＡＢ）表色系での明度（Ｌ＊値）等を下記装置を用いて測定し、無彩色度Ｃ＊を算出した。
（測定機器）
日本電色工業社製、微小面分光色差計ＶＳＳ７７００
ペン芯２０の明度（Ｌ＊値）＝３６、無彩色度Ｃ＊＝２４
【００５３】
（筆記具用インク組成：インク色：蛍光黄色）
筆記具用インクとして、下記組成のインク（合計１００質量％）を使用した。
保湿剤：トリメチルグリシン（グリシンベタイン）                    ７．５質量％
ペンタエリスリトール                                      ４．５質量％
着色剤：ＮＫＷ−４８０５黄（日本蛍光社製）                      ４０．０質量％
防腐剤：バイオエース（ケイアイ化成社製）                          ０．３質量％
ｐＨ調整剤：トリエタノールアミン                                  １．０質量％
フッ素系界面活性剤：サーフロン８１１１Ｎ（ＡＧＣセイミケミカル社製）
０．２質量％
水溶性有機溶剤：エチレングリコール                                ３．０質量％
水（溶媒）：イオン交換水                                        ４３．５質量％
粘度（２５℃）：３．０ｍＰａ・ｓ（コンプレート型粘度計、ＴＯＫＩＭＥＣ社製、ＴＶ−２０）
表面張力（２５℃）：３３ｍＮ／ｍ（自動表面張力計、協和界面科学社製、ＤＹ−３００）
筆跡（描線）の明度（Ｌ＊値）：９７、無彩色度Ｃ＊：４０
【００５４】
この図１〜図４準拠の実施例１のペン先Ａを用いた筆記具Ｂでは、少なくとも、筆記方向を視認することができる可視部１３を有する保持体１０と、該保持体１０に装着されたペン芯２０とを備えたものであり、少なくともペン芯２０の全体は着色され、着色された部分のＬ＊ａ＊ｂ＊（ＣＩＥ  ＬＡＢ）表色系での明度（Ｌ＊値）が３６であり、無彩色度Ｃ＊が２４となっており、この筆記具を用いて上質紙面上に筆記したところ、従来のペン芯２０を着色していない三菱鉛筆社製のプロパス・ウインドウ（「ＰＵＳ−１０２Ｔ」）に較べ、筆記面となる紙面との明度差（コントラスト）を高めていることが確認でき、可視部１３で視認側を見れば、明らかに、ひき始めの位置を合わせやすくなり、また、ペン芯２０を低い明度色となっているので、ペン先Ａの汚れや紙面などに筆記等されたインクからの色写りが目立たず外観を損なうことがないペン先を用いた筆記具となることが確認された。
【００５５】
また、保持体１０からの筆記芯２０の先端側の突出量Ｙ＝０．８５ｍｍ（ｔの５３％）となっており、上記従来の筆記具（三菱鉛筆社製、プロパス・ウインドウ「ＰＵＳ−１０２Ｔ」、突出量Ｙが１．１５ｍｍ超過（ｔの７２％超過）に較べ、特に、右利きで左から右方向に筆記する際に、突出部（突出量）で描線を引くことができ、しかも、過度の荷重をかけても筆記性能を損なうことなく、筆記芯の破損もなく耐久性に優れる筆記具が得られることが確認された。
【００５６】
更に、自動筆記装置にこの筆記具をセットして、ＪＩＳ  Ｓ６０３７に準拠した試験方法に従い、上質紙面上で筆記角度６５°、筆記荷重１Ｎ、速度７ｃｍ／ｓ、距離１００ｍで直線筆記後、筆記した描線状態を目視にて確認したところ、上記好ましいインク組成のものを使用しているため、インク流量（１０ｍｇ／ｍ）も良好で、ペン先の乾燥を抑えながらも、描線の乾燥性、インクの低温安定性に優れ、描線に滲みや裏抜けのない機能を発現することが判った。
【００５７】
〔実施例２〕
図７に準拠する筆記具を使用した。これ以外の構成、インク組成等は、上記実施例１と同様であるので、省略する。
（ペン芯６５、ペン芯６６の構成）
ペン芯６５：ポリエステル製繊維束芯、気孔率５５％、φ４．０ｍｍ×３０ｍｍ、ナイフカット状
ペン芯６６：ポリエステル製繊維束芯、気孔率５０％、φ２．０ｍｍ×３０ｍｍ、砲弾形状
（ペン芯着色方法）
上記ペン芯着色用インクを用いて下記方法によりペン芯６５の一部を着色、具体的には、実施例１と同様の処理を施した。
まず、実施例１と同様の処理を２回繰り返して、更に濃く着色した。
（中綿６７の構成）
直径６．５ｍｍ、長さ８０ｍｍ、気孔率８９％、クリンプ率１７％
太径繊維：１５デニール×１５４本、細径繊維：３デニール×１１１００本、太径繊維の占有率：６．５％、太径繊維／細系繊維＝５
【００５８】
〔ペン芯６５の明度（Ｌ＊値）、無彩色度Ｃ＊の測定等〕
上記実施例１と同様して明度（Ｌ＊値）、無彩色度Ｃ＊を測定した。
ペン芯６５の明度（Ｌ＊値）＝２４、無彩色度Ｃ＊＝８
【００５９】
この図７準拠の実施例２のペン先６５を用いた筆記具Ｅでは、少なくともペン芯６５の一部は着色され、着色されていない部分のＬ＊ａ＊ｂ＊（ＣＩＥ  ＬＡＢ）表色系での明度（Ｌ＊値）が７１であり、無彩色度Ｃ＊が７０となっており、その描線の明度（Ｌ＊値）は９７であり、無彩色度Ｃ＊が４０となった蛍光黄色となっている。
この筆記具を用いて上質紙面上に筆記したところ、従来のペン芯６５を着色していないマーキングペンに較べ、ペン芯６５の一部を着色していても、筆記面となる紙面との明度差（コントラスト）を高めていることが確認でき、また、ペン芯６５を低い明度色となっているので、ペン先６５の汚れや紙面などに筆記等されたインクからの色写りが目立たず外観を損なうことがないペン先を用いた筆記具となることが確認された。
【００６０】
また、上記実施例１と同様に、右利きで左から右方向に筆記する際に、過度の荷重をかけても筆記性能を損なうことなく、筆記芯の破損もなく耐久性に優れる筆記具が得られることが確認された。更に、実施例１と同様に自動筆記装置にこの筆記具をセットして、ＪＩＳ  Ｓ６０３７に準拠した試験方法に従い、実施例１と同様の条件下で筆記後、筆記した描線状態を目視にて確認したところ、上記好ましいインク組成のものを使用しているため、インク流量も良好で、ペン先の乾燥を抑えながらも、描線の乾燥性、インクの低温安定性に優れ、描線に滲みや裏抜けのない機能を発現することが判った。また、上記試験中においても滞留した空気膨張等によるインクの噴き出しもないことが確認された。
【産業上の利用可能性】
【００６１】
本発明のペン先では、アンダーラインペン、ペイントマーカー、油性マーカー、水性マーカーと呼ばれる所謂マーキングペンタイプの筆記具に用いるペン先として好適に適用することができる。
【符号の説明】
【００６２】
Ａ  ペン先
１０  保持体
２０  ペン芯
３５  先軸
４０  インク吸蔵体
５０  キャップ
【図１】
2019135093.tif 000003
【図２】
2019135093.tif 000004
【図３】
2019135093.tif 000005
【図４】
2019135093.tif 000006
【図５】
2019135093.tif 000007
【図６】
2019135093.tif 000008
【図７】
2019135093.tif 000009